(57)【要約】【課題】記録媒体に格納された素材データを収録する場合に、収録すべき素材データを短時間かつ正確に検索し読み出して収録することができ、これによってオペレータの作業を軽減する。【解決手段】ビデオサーバ１のＣＰＵ１１は、素材収録部１７により、素材収録指示を受け付けると、素材データベース１３１にアクセスして収録対象の素材データを検索する。そして、上記指定された素材データがオンエア情報１３２で指定される収録条件に合っているか否かをチェックする前に、上記検索された素材データをチェンジャー装置２から読み出し、素材記憶部１５への収録を開始するようにしている。これにより、素材データのチェック中に上記チェンジャー装置２から素材データを先読みすることで収録時間を短縮することが可能となる。【選択図】      図１
2007081999.tif 000002
【特許請求の範囲】
【請求項１】
それぞれ素材データが格納された複数の記録媒体を収容し、指定される素材データの記録媒体を選択的に装填して指定の素材データを読み出し出力する記憶媒体読み出し装置が接続され、前記記録媒体読み出し装置から任意の記録媒体に格納される素材データを読み出して収録するビデオサーバであって、
前記素材データの指定を受けて当該素材データが格納される記録媒体を検索する検索手段と、
前記検索された記録媒体と前記素材データ指定情報を前記記録媒体読み出し装置に通知し、当該装置から読み出される指定素材データを素材記録部に収録する収録手段と、
前記指定の素材データが予め設定される収録条件に合致するか否かを判定する判定手段と、
前記判定手段により合致すると判定された場合に、前記収録された素材データを前記素材記録部からモニタ出力する出力手段と、
前記判定手段により合致しないと判定された場合に、警告情報を通知すると共に、前記素材記録部に収録された素材データを消去する消去手段と
を具備し、
前記収録手段は、前記判定手段に先立って開始されることを特徴とするビデオサーバ。
【請求項２】
前記検索手段は、予め前記複数の記録媒体それぞれに格納される素材データとその格納先を示す素材データベースを備えることを特徴とする請求項１記載のビデオサーバ。
【請求項３】
それぞれ素材データが格納された複数の記録媒体を収容し、指定される素材データの記録媒体を選択的に装填して指定の素材データを読み出し出力する記憶媒体読み出し装置が接続され、前記記録媒体読み出し装置から任意の記録媒体に格納される素材データを読み出して収録するビデオサーバで用いられ、
前記素材データの指定を受けて当該素材データが格納される記録媒体を検索する検索ステップと、
前記検索された記録媒体と前記素材データ指定情報を前記記録媒体読み出し装置に通知し、当該装置から読み出される指定素材データを素材記録部に収録する収録ステップと、
前記指定の素材データが予め設定される収録条件に合致するか否かを判定する判定ステップと、
前記判定手段により合致すると判定された場合に、前記収録された素材データを前記素材記録部からモニタ出力する出力ステップと、
前記判定手段により合致しないと判定された場合に、警告情報を通知すると共に、前記素材記録部に収録された素材データを消去する消去ステップと
を具備し、
前記収録ステップは、前記判定ステップに先立って開始されることを特徴とするビデオサーバの素材収録方法。
【発明の詳細な説明】
【技術分野】
【０００１】
この発明は、例えば、ビデオテープ、ビデオディスク等の複数の記録媒体を収容する記録媒体読み出し装置から任意の記録媒体に格納された素材データを読み出し収録するビデオサーバとその素材収録方法に関する。
【背景技術】
【０００２】
放送スタジオにおいて、膨大な素材データを管理するために、ビデオテープやビデオディスク等の記録媒体を収容し、任意の記録媒体を装填して目的の素材データを読み出し出力するチェンジャー装置が利用されている。しかしながら、このチェンジャー装置は、記録媒体の装填、素材データの検索、読み出しに時間がかかる。このため、大量の記録媒体から所望の素材データを検索して、ビデオサーバの素材記録部に収録する作業は、負担のかかるものであった。
【０００３】
なお、例えば、映像サーバからネットワークを介して映像データを取得する場合に、クライアント端末における映像データの利用状況に基づいてキャッシュを更新することでネットワークによる遅延の影響を回避する手法が提案されている（特許文献１を参照。）。
【特許文献１】特開２００２−１０１８０公報
【発明の開示】
【発明が解決しようとする課題】
【０００４】
ところで、ビデオサーバに接続されたチェンジャー装置等の記録媒体読み出し装置から任意の記録媒体に格納される素材データを読み出し収録するには、収録対象の素材データが入った記録媒体を検索し、ビデオサーバ内の素材記録部に取り込む。このとき、指定した素材データがオンエア情報で指定されている収録条件（オンエア期間や再生パラメータ等）に合致しているかチェックする必要がある。このため、素材チェック後に当該素材データの読み出しを開始することになり、素材データの指定から読み出しを開始するまでにかなりの時間を要してしまう。
【０００５】
この発明は上記事情に着目してなされたもので、その目的とするところは、記録媒体に格納された素材データを収録する場合に、収録すべき素材データを短時間かつ正確に検索し読み出して収録することができ、これによってオペレータの作業を軽減することができるビデオサーバとその素材収録方法を提供することにある。
【課題を解決するための手段】
【０００６】
上記目的を達成するためにこの発明に係わるビデオサーバは、それぞれ素材データが格納された複数の記録媒体を収容し、指定される素材データの記録媒体を選択的に装填して指定の素材データを読み出し出力する記憶媒体読み出し装置が接続され、前記記録媒体読み出し装置から任意の記録媒体に格納される素材データを読み出して収録するビデオサーバであって、前記素材データの指定を受けて当該素材データが格納される記録媒体を検索する検索手段と、前記検索された記録媒体と前記素材データ指定情報を前記記録媒体読み出し装置に通知し、当該装置から読み出される指定素材データを素材記録部に収録する収録手段と、前記指定の素材データが予め設定される収録条件に合致するか否かを判定する判定手段と、前記判定手段により合致すると判定された場合に、前記収録された素材データを前記素材記録部からモニタ出力する出力手段と、前記判定手段により合致しないと判定された場合に、警告情報を通知すると共に、前記素材記録部に収録された素材データを消去する消去手段とを具備し、前記収録手段は、前記判定手段に先立って開始されることを特徴とする。
【０００７】
また、この発明に係わるビデオサーバの素材収録方法は、それぞれ素材データが格納された複数の記録媒体を収容し、指定される素材データの記録媒体を選択的に装填して指定の素材データを読み出し出力する記憶媒体読み出し装置が接続され、前記記録媒体読み出し装置から任意の記録媒体に格納される素材データを読み出して収録するビデオサーバで用いられ、前記素材データの指定を受けて当該素材データが格納される記録媒体を検索する検索ステップと、前記検索された記録媒体と前記素材データ指定情報を前記記録媒体読み出し装置に通知し、当該装置から読み出される指定素材データを素材記録部に収録する収録ステップと、前記指定の素材データが予め設定される収録条件に合致するか否かを判定する判定ステップと、前記判定手段により合致すると判定された場合に、前記収録された素材データを前記素材記録部からモニタ出力する出力ステップと、前記判定手段により合致しないと判定された場合に、警告情報を通知すると共に、前記素材記録部に収録された素材データを消去する消去ステップとを具備し、前記収録ステップは、前記判定ステップに先立って開始されることを特徴とするものである。
【０００８】
上記構成によるビデオサーバとその素材収録方法では、収録対象の素材データの指定を受けると、この素材データが格納される記録媒体を検索する。そして、指定された素材データが収録条件に合っているか否かをチェックする前に、検索された記録媒体から素材データを読み出し、素材記録部への収録を開始する。また、上記チェックにおいて収録条件に合わない場合は、素材記録部に収録されたデータを消去し警告を通知するようにしている。これにより、素材データのチェック中に記録媒体読み出し装置から素材データを先読みすることで収録作業にかかる時間を短縮することが可能となる。
【発明の効果】
【０００９】
したがってこの発明によれば、記録媒体に格納された素材データを収録する場合に、収録すべき素材データを短時間かつ正確に検索し読み出して収録することができ、これによってオペレータの作業を軽減することができるビデオサーバとその素材収録方法を提供することができる。
【発明を実施するための最良の形態】
【００１０】
以下、図面を参照しながら本発明の実施の形態を詳細に説明する。  
図１は、この発明に係わるビデオサーバの一実施形態を示すブロック構成図である。ビデオサーバ１には、チェンジャー装置２とモニタ３が接続される。チェンジャー装置２は、例えば、磁気テープや磁気ディスク等の記録媒体を複数収容し、指定されるデータの記録媒体を選択的に装填してデータを読み出し出力する。素材データは、上記記録媒体にそれぞれ記録されてこのチェンジャー装置２に格納されている。モニタ３は、収録された素材データを再生確認するために設けられる表示装置である。
【００１１】
ビデオサーバ１は、マイクロプロセッサなどの中央処理ユニット（ＣＰＵ：Central Processing Unit）１１を備える。このＣＰＵ１１にバス１２を介して、データメモリ１３と、入力インタフェース（入力Ｉ／Ｆ）１４と、素材記憶部１５と、ユーザインタフェース（ユーザＩ／Ｆ）１６と、素材収録部１７と、出力インタフェース（出力Ｉ／Ｆ）１８とが接続される。データメモリ１３には、素材データベース１３１とオンエア情報１３２とが格納される。素材データベース１３１は、チェンジャー装置２に収容される記録媒体それぞれに格納される素材データとその格納先を対応付けた管理情報である。この素材データベース１３１にアクセスすることで、所望の素材データが格納される記録媒体を直ちに検索することができる。オンエア情報１３２は、編成局から指定されるオンエア用の番組再生に関する情報で、この情報に基づいて指定された素材データが収録条件に合致するか確認する。
【００１２】
入力Ｉ／Ｆ１４は、ＣＰＵ１１制御の下、オペレータにより指定される素材データをチェンジャー装置２から読み出し取得する。素材記憶部１５は、ハードディスク等で構成され、ＣＰＵ１１は、上記取得された素材データを素材記憶部１５に収録する。ユーザＩ／Ｆ１６は、キーボードやマウス等により入力される素材収録指示情報を受け付ける。素材収録指示情報には、例えば、収録対象の素材データを指定する素材名や素材ＩＤが用いられる。
【００１３】
素材収録部１７は、上記受け付けた素材収録指示情報に基づいて、素材データベース１３１から当該素材データが記録された記録媒体を検索する。そして、検索された記録媒体と素材収録指示情報とをチェンジャー装置２に通知することで、指定された素材データを読み出し、素材記憶部１５に収録する。また、指定された素材データが、オンエア情報１３２で示される収録条件に合致するか否かのチェックも行う。素材収録動作の手順の詳細については、後述する。
【００１４】
また、出力Ｉ／Ｆ１８にはモニタ３が接続され、ＣＰＵ１１制御の下、素材記憶部１５に収録された素材データをモニタ３に出力する。これにより、オペレータは、収録された素材データの内容をモニタ確認する。
【００１５】
次に、このように構成されるビデオサーバ１の素材収録部１７の動作について説明する。図２は、ビデオサーバ１の素材収録動作の手順とその内容を示すフローチャートである。
【００１６】
ビデオサーバ１のＣＰＵ１１は、ステップＳ２１において、ユーザＩ／Ｆ１６により素材収録指示を表す素材指定情報を受け付けると、ステップＳ２２により素材データベース１３１にアクセスして、収録対象の素材データが記録されている記録媒体を検索する。そして、ＣＰＵ１１は、ステップＳ２３において、上記検索された記録媒体と素材指定情報とをチェンジャー装置２に通知し、指定された素材データの収録を開始する。チェンジャー装置２は、この通知を受けて、選択された記録媒体を装填し、指定素材データを読み出す。読み出された素材データは、入力Ｉ／Ｆによりビデオサーバ１に取り込まれ、素材記憶部１５に格納される。
【００１７】
素材データの収録開始後、ステップＳ２４において、上記指定された素材がオンエア情報１３２に合致しているか否かの素材チェックを行う。この素材チェックにおいて合致する場合には、ステップＳ２５に移行して、ＣＰＵ１１は、素材記憶部１５に収録された素材データを出力Ｉ／Ｆ１８によりモニタ３に出力する。一方、上記素材チェックにおいて、収録対象の素材がオンエア情報１３２に合致しない場合は、ステップＳ２６に移行して、ＣＰＵ１１は、収録誤りである旨を表す警告情報をモニタ３に出力する。そして、ステップＳ２７において、素材記憶部１５に収録された当該素材データを消去する。
【００１８】
従来では、収録対象の素材データがオンエア情報１３２に合致することを確認した後に、素材収録を開始するようにしていた。このため、例えば、チェンジャー装置２がアームによるテープ装填を行うような大容量のテープ装置で構成される場合は、素材データを検索してから収録を開始するまでにかなりの時間を要する場合があった。これに対し、本発明では、素材チェックの前に素材データの収録を開始し、素材データのチェック中に上記チェンジャー装置２から素材データを先読みするようにしている。これにより、素材チェックの終了後、収録された素材データをすぐにモニタで確認することが可能となり、収録作業を短時間で行うことができる。
【００１９】
なお、この発明は上記実施形態に限定されるものではない。例えば、チェンジャー装置２において素材データが圧縮形式で格納される場合には、ビデオサーバ１は、この圧縮形式に対応するデコーダを備え、チェンジャー装置２から読み出した圧縮素材データをベースバンドに伸長して素材記憶部１５に収録するように構成することも可能である。その他にも、ビデオサーバ１の構成及びデータメモリ１３に記憶される素材データベース１３１及びオンエア情報１３２、また、素材収録部１７の収録動作の手順とその内容についてもこの発明の要旨を逸脱しない範囲で種々に変形して実施できる。
【００２０】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２１】
【図１】この発明に係わるビデオサーバの一実施形態を示すブロック構成図。
【図２】図1に示すビデオサーバの動作手順とその内容を示すフローチャート。
【符号の説明】
【００２２】
１…ビデオサーバ、１１…ＣＰＵ、１２…バス、１３…データメモリ、１３１…素材データベース、１３２…オンエア情報、１４…入力インタフェース、１５…素材記憶部、１６…ユーザインタフェース、１７…素材収録部、１８…出力インタフェース、２…チェンジャー装置、３…モニタ。
【図１】
2007081999.tif 000003
【図２】
2007081999.tif 000004